(57)【要約】  少なくとも１つのアートワーク（１０７）の多感覚実現のためのハンドリングシステム（１００）であって、−少なくとも１つのアートワーク（１０７）のための少なくとも１つのブックスタンド（１０５）と、−少なくとも１つのアートワーク（１０７）の少なくとも１つの水平並進群（１０１）と、−水平並進群（１０１）に接続されるとともに少なくとも１つのブックスタンド（１０５）上の少なくとも１つのアートワーク（１０７）の取り込み／取り出し位置に少なくとも１つのアートワーク（１０７）を持ち上げるように構成される少なくとも１つのアートワーク（１０７）の少なくとも１つの垂直並進群（１０３）と、−少なくとも１つの水平並進群（１０１）に接続されるとともに少なくとも１つのアートワークを少なくとも１つの垂直並進群（１０３）に対応する位置までスライドさせることができる少なくとも１つのアートワーク（１０７）の少なくとも１つのローディングユニット（１０２）と、を備えるハンドリングシステム（１００）。少なくとも１つの垂直並進群（１０３）は、少なくとも１つの水平並進群（１０１）に対して垂直に接続される第１の垂直固定支持要素（１０３ａ）と、垂直固定支持要素（１０３ａ）に沿って垂直にスライドできる第２の垂直可動支持要素（１０３ｂ）とを備え、第２の垂直可動支持要素（１０３ｂ）は、アートワーク（１０７）の側縁の上端に位置される少なくとも１つのスロット（１０７ａ）と係合するように構成される少なくとも１つの結合要素（１０９）を備える。【選択図】  図１
2019511934.tif 000002
【特許請求の範囲】
【請求項１】
少なくとも１つのアートワーク（１０７）の多感覚実現のためのハンドリングシステム（１００）であって、
−前記少なくとも１つのアートワーク（１０７）のための少なくとも１つのブックスタンド（１０５）と、
−前記少なくとも１つのアートワーク（１０７）の少なくとも１つの水平並進群（１０１）と、
−前記水平並進群（１０１）に接続されるとともに前記少なくとも１つのブックスタンド（１０５）上の前記少なくとも１つのアートワーク（１０７）の取り込み／取り出し位置に前記少なくとも１つのアートワーク（１０７）を持ち上げるように構成される前記少なくとも１つのアートワーク（１０７）の少なくとも１つの垂直並進群（１０３）と、
−前記少なくとも１つの水平並進群（１０１）に接続されるとともに前記少なくとも１つのアートワークを前記少なくとも１つの垂直並進群（１０３）に対応する位置までスライドさせることができる前記少なくとも１つのアートワーク（１０７）の少なくとも１つのローディングユニット（１０２）と、
を備えるハンドリングシステム（１００）において、
前記少なくとも１つの垂直並進群（１０３）は、前記少なくとも１つの水平並進群（１０１）に対して垂直に接続される第１の垂直固定支持要素（１０３ａ）と、前記垂直固定支持要素（１０３ａ）に沿って垂直にスライドできる第２の垂直可動支持要素（１０３ｂ）とを備え、前記第２の垂直可動支持要素（１０３ｂ）は、前記アートワーク（１０７）の側縁の上端に位置される少なくとも１つのスロット（１０７ａ）と係合するように構成される少なくとも１つの結合要素（１０９）を備えることを特徴とするハンドリングシステム（１００）。
【請求項２】
前記少なくとも１つの垂直並進群（１０３）と前記ハンドリングシステム（１００）の後壁（１１０）との間に接続されるとともに前記取り込み／取り出し位置に対応する前記ブックスタンド（１０５）の高さに位置される前記少なくとも１つのアートワーク（１０７）の少なくとも１つのブースティングユニット（１０４）を備えることを特徴とする請求項１に記載の少なくとも１つのアートワーク（１０７）の多感覚実現のためのハンドリングシステム（１００）
【請求項３】
前記ブースティングユニット（１０４）は、少なくとも一対の水平ガイド要素（１０４ａ）と、前記水平ガイド要素間（１０４a）でスライドできるとともに少なくとも１つのベース（１１６ａ）を備える少なくとも１つのキャリッジ（１１６）とを備え、前記ブックスタンド（１０５）上のアートワーク（１０７）を水平に押圧するように構成されるピストンシステム（１１１）が前記ベース（１１６ａ）上に装着されることを特徴とする請求項２に記載の少なくとも１つのアートワーク（１０７）の多感覚実現のためのハンドリングシステム（１００）。
【請求項４】
前記少なくとも１つの水平並進群（１０１）は、レールトラック（１０１ｂ）と該レールトラック（１０１ｂ）間でスライドできる少なくとも１つのキャリッジ（１０６）とが内部に設けられる少なくとも一対の水平要素（１０１ａ）を備えることを特徴とする請求項１に記載の少なくとも１つのアートワーク（１０７）の多感覚実現のためのハンドリングシステム（１００）。
【請求項５】
前記少なくとも１つのキャリッジ（１０６）は、少なくとも１つの凹部（１０６ｂ）を有する少なくとも１つのベース（１０６ａ）を備えることを特徴とする請求項４に記載の少なくとも１つのアートワーク（１０７）の多感覚実現のためのハンドリングシステム（１００）。
【請求項６】
前記少なくとも１つのローディングユニット（１０２）は、少なくとも１つのアートワーク（１０７）を収容するように構成されるとともに前記少なくとも１つの凹部（１０６ｂ）内に挿入可能な少なくとも１つの支持要素（１０２ａ）が設けられる少なくとも１つの支持ラックを備え、前記少なくとも１つの支持ラックは、前記レールトラック（１０１ｂ）に沿って前記キャリッジ（１０６）と一体にスライドできることを特徴とする請求項１及び請求項５に記載の少なくとも１つのアートワーク（１０７）の多感覚実現のためのハンドリングシステム（１００）
【請求項７】
前記アートワーク（１０７）をユーザによって選択できるようにするとともに、前記ローディングユニット（１０２）を前記垂直並進群（１０１）上で前記取り込み／取り出し位置までスライドさせて前記アートワーク（１０７）を前記垂直並進群（１０３）から前記ブックスタンド（１０５）の高さまで持ち上げ、前記ブックスタンド（１０５）のガイド（１１２）上にアートワーク（１０７）を位置させるまで前記ブースティングユニット（１０４）を作動させるように構成される少なくとも１つの専用の制御装置（１０８）を備えることを特徴とする請求項１から６のいずれか一項に記載の少なくとも１つのアートワーク（１０７）の多感覚実現のためのハンドリングシステム（１００）。
【請求項８】
以下のタイプの少なくとも１つの装置、すなわち、
−音声再生装置、
−臭覚装置、
−電子プロセッサにより制御可能な画像及び／又はビデオを視覚的に再生するための装置、
−音声再生、ビデオ再生、及び／又は、臭覚刺激の再生の起動センサ、
を備えることを特徴とする請求項１から７のいずれか一項に記載の少なくとも１つのアートワーク（１０７）の多感覚実現のためのハンドリングシステム（１００）。
【請求項９】
請求項１から８のいずれか一項に記載のハンドリングシステム（１００）、表示されるべきアートワーク（１０７）、及び、センサ出力装置を備える少なくとも１つのアートワーク（１０７）の多感覚実現システム。
【発明の詳細な説明】
【技術分野】
【０００１】
本発明は、アートワークの多感覚実現のためのハンドリングシステムに関する。
【０００２】
特に、本発明は、主に身体障害を伴うユーザのために設計された特別なシートで、複数の刺激の再生及び組み合わせ、すなわち、多感覚実現によって芸術作品の組を利用できるようにするために想起されるアートワークの多感覚実現のためのハンドリングシステムに関する。
【背景技術】
【０００３】
周知のように、現在の大部分の美術館スペース又は展示会スペースは、主に、視覚を通じて使用可能である。このため、伝統的な展示会スペースでは、部分的な又は完全な視覚障害を有する人にとって有用性が制限され或いは更には妨げられる。
【０００４】
この問題を克服するために、特別なシート又は触覚美術館が開発されてきた。これらの場所では、ユーザが展示されたアートワークに触ることができる。しかしながら、これらのシステムから得られる結果は、特に絵画アートワークの場合には、ユーザが視覚障害を有する際に制限される。実際に、フレームワーク上に描かれた形状を何らかの形で浮き彫りにして触って感じられるように再現できる場合であっても、アートワークをテクスチャ、光、及び、影の組全体として使用できない。
【０００５】
音声を再現又はビデオを再生してアートワークの視覚認知を完結させるためにアートワークの多感覚実現のための装置が開発されてきた。
【０００６】
例えば、特許出願である国際公開第２０１１０６７８０１号は、特に障害を伴うユーザ用の多感覚アートワークの実現のためのシステムを記載する。記載される解決策はパネルを備え、該パネル上にはレリーフを伴うアートワーク複製物が配置される。そのような複製物は、アートワーク複製物上の指の位置の検出を伴う。システムは、指の位置の検出の結果として、したがって、芸術複製物の特別の領域にユーザが触れることによって起動される音声、臭気、ビデオを再生するための装置を更に備える。
【０００７】
しかしながら、一般に身体障碍者又はユーザによるアートワークの多感覚実現のための既知の解決策では、ユーザが作品又はその複製物に近づいてそれを触って知覚できる単一の特別な位置が与えられる。ある場合には、前述の特許出願の場合のように、ユーザがアートワークに関連する聴覚刺激、視覚刺激、又は、触覚刺激の再生を操作できるが、各多感覚ステーションは、常に、単一のアートワークの表示及び実現をもたらす。この結果、美術館のホールや教育のために使用される部屋が邪魔な妨害となり、展示会旅程の編成が更に困難になる。
【０００８】
展示におけるこれらの全体的な問題及び困難は、展示スペースが障害のあるユーザのために排他的に又は付加的に意図されているときに特に重大である。
【０００９】
実際に、ユーザは、露出されたアートワークの利益を享受するために各ステーションに対応して移動しなければならず、また、１つのステーションと他のステーションとの間で移動しなければならない。ユーザが運動障害又は視覚障害を有する場合には、旅程を組むことが特に困難となり問題となる。
【００１０】
以上を考慮すると、障害のあるユーザでも使用できる固有の露出ステーションにおいてユーザにより選択可能な芸術作品の組を自動的に位置決めして物理的に近づいて触れるように利用可能にする解決策を見出す必要性は明らかである。
【先行技術文献】
【特許文献】
【００１１】
【特許文献１】国際公開第２０１１０６７８０１号
【発明の概要】
【発明が解決しようとする課題】
【００１２】
本発明の目的は、個々の多感覚ステーションと関連付けられた妨害を減らすことができるようにする、すなわち、単一の作品を露出できるようするとともに、物理的に簡単にアクセスして接触できるようにし、それにより、既知の技術に関連する前述のシステムに依然として影響を及ぼす制限を克服するような特徴を有する、アートワークの多感覚実現のためのハンドリングシステムを提供することである。
【課題を解決するための手段】
【００１３】
本発明によれば、請求項１に規定されるようなアートワークの多感覚実現のためのハンドリングシステムが提供される。
ここで、本発明のより良い理解のため、添付図面を参照して、単なる非限定的な例として好ましい実施形態を説明する。
【図面の簡単な説明】
【００１４】
【図１】本発明に係るアートワークの多感覚実現のためのハンドリングシステムの斜視図を示す。
【図２】本発明に係るアートワークの多感覚実現のためのハンドリングシステムのアートワークのローディングユニットの詳細な斜視図を示す。
【図３】本発明に係る多感覚アートワークの使用のためのハンドリングシステムアートワークの一群の垂直並進の拡大斜視図を示す。
【図４】アートワークが本発明に係る多感覚アートワークの使用のためのハンドリングシステムのブックスタンド上への取り込み位置／ブックスタンドからの取り出し位置にある状態の垂直並進群の斜視図を示す。
【図５】本発明に係る多感覚アートワークの使用のためのハンドリングシステムの垂直並進群に接続されるブースティングユニットの斜視側面図を示す。
【図６】アートワークが本発明に係るブックスタンド上に配置された状態にある多感覚アートワークの使用のためのハンドリングシステムの斜視側面図を示す。
【発明を実施するための形態】
【００１５】
図１を参照すると、本発明に係る多感覚アートワークの使用のためのハンドリングシステム１００が示される。
【００１６】
特に、図２を参照すると、ハンドリングシステム１００は、アートワークの水平並進群１０１、水平並進群１０１のおかげによりスライドできるアートワークのローディングユニット１０２、水平並進群１０１に接続されるアートワークの垂直並進群１０３、アートワークのブースティングユニット１０４、及び、ブックスタンド１０５を備える。
【００１７】
より詳細には、水平並進群１０１は、レールトラック１０１ｂが内部に設けられる一対の水平要素１０１ａを備え、レールトラック１０１ｂ間でキャリッジ１０６がスライドできる。キャリッジ１０６は、凹部１０６ｂを備えるベース１０６ａによって実質的に構成され、凹部１０６ｂ内には、ローディングユニット１０２を実質的に構成する支持ラックの支持要素１０２ａが挿入される。したがって、ラック１０２がキャリッジ１０６と一体であるため、ラックも水平並進群１０１のレールトラック１０１ｂに沿ってスライドできる。
【００１８】
図２−図６に示されるように、支持ラック１０２の各支持要素１０２ａは、最終的にブックスタンド１０５上で露出されるようにシステム１００によって自動的に取り扱われるべく、ボタン１０８などの専用の制御装置を介してユーザによって選択可能なアートワーク１０７、例えば塗料を収容するように構成される。
【００１９】
より詳細には、図２−図４に示されるように、垂直並進群１０３は、垂直に接続される第１の垂直固定支持要素１０３ａと、垂直固定支持要素１０３ａに沿って垂直にスライドできる第２の垂直可動支持要素１０３ｂとを備える。
【００２０】
本発明の一態様によれば、スライド可能な第２の垂直可動支持要素１０３ｂはそれらの端部に選択ボタン１０８を有する。
【００２１】
更に、本発明の他の態様によれば、垂直並進群１０３のスライド可能な第２の垂直可動支持要素１０３ｂは、それぞれの内部に、各アートワーク１０７の側縁の上端に位置されるスロット１０７ａと係合するように構成される結合要素、例えばピン１０９を備える。
【００２２】
本発明の他の態様によれば、システム１００のブースティングユニット１０４は、垂直並進群１０３とシステム１００の後壁１１０との間に接続されるとともに、取り込み／取り出し位置に対応する高さに位置され、選択されたアートワーク１０７が取り込み／取り出し位置に持ち上げられる。ブースティングユニット１０４は一対の水平ガイド要素１０４ａを備え、これらのガイド要素１０４ａ間でベース１１６ａにより実質的に構成されるキャリッジ１０６がスライドでき、ベース１１６a上には、アートワークを水平に押圧するように構成されるピストン１１１のシステムが装着される。
【００２３】
この時点で、アートワーク１０７は、ユーザが物理的にアクセスできる位置でブックスタンド１０５上に位置決めされる。
【００２４】
好適には、ハンドリングシステム１００の下部は、動きの制限されたユーザが車椅子によって近づくことができるような構造形態、高さ、及び、幅を有する。
【００２５】
本発明の１つの態様によれば、ハンドリングシステム１００は、図示しない１つ以上の音声再生装置を含んでもよい。
【００２６】
本発明の他の態様によれば、ハンドリングシステム１００は、図示しない嗅覚装置及び／又は画像及び／又はビデオを視覚的に再生するための装置を含んでもよい。特に、本発明の一態様によれば、前記装置は電子プロセッサによって制御され得る。
【００２７】
本発明の他の態様によれば、ハンドリングシステム１００は、音声再生、ビデオ再生、及び／又は、嗅覚刺激の再生をもたらす作動ボタン又はセンサを含んでもよい。好適には、本発明によれば、そのようなセンサ及びボタンは、それを接触又は音声命令により操作してもよいユーザによってアクセス可能である。
【００２８】
本発明の他の態様によれば、ハンドリングシステムは、文字及び／又は点字を印刷するためのキャプションを含んでもよい。
【００２９】
本発明の他の態様によれば、本発明に係るハンドリングシステムによって取り扱われるアートワークは、パネルから成るアートワークの複製であり、パネル上で、いわゆる「タッチパネル」を構成する材料のサンプル及び／又はエンボス要素によって作業がなされる。
【００３０】
本発明の更なる態様によれば、アートワーク１０７は、同じアートワークの表面上のユーザの指位置を検出するセンサを備え、該センサは、検出された位置に基づいて装置が音響、熱、振動、視覚信号又は嗅覚信号を発することができるようにする。これらの装置は、アートワークの多感覚実現のために、アートワークの表面に組み込まれ、又は、ハンドリングシステムの特別なハウジング内に配置される。
【００３１】
使用時、アートワーク１０７の選択ボタンは、利用できるそれらの中から、ボタン１０８のうちの少なくとも１つにより、水平並進群１０１の操作を可能にし、水平並進群１０１上で垂直並進群１０３がスライドできる。キャリッジ１０６は、トラックレール１０１ｂに沿ってスライドし、選択されたアートワーク１０７が垂直並進群１０３の垂直支持要素１０３ａの対応する取り込み／取り出し位置に達したときに停止する。垂直可動支持要素１０３ｂのそれぞれのピン１０９がスロット１０７ａを引っ掛けた時点で、アートワーク１０７が、垂直に移動されて持ち上げられ、ブックスタンド１０５上に配置されるように障害なく位置決めされる。この時点で、ブースティングユニット１０４がアートワークを水平に押圧し、同時に、垂直並進群の第２の垂直可動要素１０３ｂが、ブックスタンド１０５の支持ガイド１１２におけるアートワーク１０７の想定し得る結合位置に対応する高さまで下降される。
【００３２】
したがって、本発明に係るアートワークの多感覚実現のためのハンドリングシステムは、個々のアートワーク露出ステーションのサイズを減らすことができる。
【００３３】
加えて、本発明に係るアートワークの多感覚実現のためのハンドリングシステムは、表示経路に沿って移動する必要なく、アートワークを楽しむことができることをユーザに、特に障害のあるユーザに許可する。
【００３４】
本発明に係るアートワークの多感覚実現のためのハンドリングシステムの他の利点は、ユーザが該ユーザの興味のあるアートワークを選択して自動的に選択されたアートワークを移動させて位置決めできるようにすることである。
【００３５】
本発明に係るアートワークの多感覚実現のためのハンドリングシステムの他の利点は、アートワークを露出し、触って見ることができるようにするとともに、多感覚装置を操作して視覚刺激、聴覚刺激、嗅覚刺激、及び、触覚刺激を再生できるようにすることである。
【００３６】
加えて、本発明に係るアートワークの多感覚実現のためのハンドリングシステムは、ユーザが、提案された群内のアートワークを選択できようにするとともに、見ること、触ること、聴くこと、及び、嗅ぐことのいずれからの利益も享受できるようにする。
【００３７】
加えて、本発明に係るアートワークの多感覚実現のためのハンドリングシステムは、複数の刺激多感覚を再生して伝え、芸術的作品を例示することができ、その場合、前記システムを低コストで実現して操作できる。
【００３８】
最後に、本発明に係るアートワークの多感覚実現のためのハンドリングシステムは、単純で、安全であり、信頼できる。
【００３９】
明らかに、ここに記載されるアートワークの多感覚実現のためのハンドリングシステムが添付の特許請求の範囲に規定される本発明の保護範囲から逸脱することなく変更及び変形に晒され得ることが分かる。
【図１】
2019511934.tif 000003
【図２】
2019511934.tif 000004
【図３】
2019511934.tif 000005
【図４】
2019511934.tif 000006
【図５】
2019511934.tif 000007
【図６】
2019511934.tif 000008
【国際調査報告】
2019511934.tif 000009
2019511934.tif 000010